(57)【要約】【課題】マルチメディアファイルの再生中に任意のテキストデータを表示できる利便性のよい記録媒体再生装置を提供することである。【解決手段】ＨＤＤ一体型光ディスク装置（記録媒体再生装置）１０は、同じ記録媒体に記録されているファイルであって、操作によりそれぞれ選択された任意のマルチメディアファイルとテキストファイルとを同期をとることなく並行して実行し、テキストファイルが実行されて表示されるテキストデータは、所定量ずつ表示され、操作により順次送られ、又は予め定められた所定時間毎に順次送られる構成とする。【選択図】図１
2008109420.tif 000002
【特許請求の範囲】
【請求項１】
ＨＤＤ記録再生部と、ＤＶＤ記録再生部と、アンテナで受信したテレビ放送信号を復調、デジタル化するチューナと、該チューナから受け取った画像音声データを圧縮符号化したり、前記ＨＤＤ記録再生部又は前記ＤＶＤ記録再生部で再生された圧縮された画像音声データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、メモリと、各部を制御する制御部とを備えた記録媒体再生装置において、
同じ記録媒体に記録されているファイルであって、操作によりそれぞれ選択された任意のマルチメディアファイルとテキストファイルとを同期をとることなく並行して実行し、
前記テキストファイルが実行されて表示されるテキストデータは、所定量ずつ表示され、操作により順次送られ、又は予め定められた所定時間毎に順次送られることを特徴とする記録媒体再生装置。
【請求項２】
記録媒体に記録されたマルチメディアファイル及びテキストファイルを実行する制御を行う制御部を備えた記録媒体再生装置において、
前記制御部は、前記マルチメディアファイルと前記テキストファイルとを同期をとることなく並行して実行させることを特徴とする記録媒体再生装置。
【請求項３】
前記テキストファイルが実行されて表示されるテキストデータは、所定量ずつ表示され、操作により順次送られることを特徴とする請求項２記載の記録媒体再生装置。
【請求項４】
前記テキストファイルが実行されて表示されるテキストデータは、所定量ずつ表示され、予め定められた所定時間毎に順次送られることを特徴とする請求項２又は３記載の記録媒体再生装置。
【請求項５】
実行する前記マルチメディアファイルと前記テキストファイルとは、操作によりそれぞれ選択された任意のファイルであることを特徴とする請求項２〜４の何れかに記載の記録媒体再生装置。
【請求項６】
マルチメディアファイルを実行する場合、該マルチメディアファイルと同じファイル名のテキストファイルを並行して実行することを特徴とする請求項２〜４の何れかに記載の記録媒体再生装置。
【請求項７】
前記マルチメディアファイルと前記テキストファイルとは同じ記録媒体に記録されていることを特徴とする請求項２〜６の何れかに記載の記録媒体再生装置。
【発明の詳細な説明】
【技術分野】
【０００１】
本発明は、記録媒体に記録されたマルチメディアファイル及びテキストファイルを実行する記録媒体再生装置に関する。
【背景技術】
【０００２】
近年家庭で用いられている光ディスク装置などの記録媒体再生装置では、映画の字幕のように各シーンに同期して文字を表示させることが行われている。このように、映像と文字とを同期させて表示する機能は多く提案されている。
【０００３】
また従来より、表示する文字を自由に送る機能が提案されている。例えば特許文献１には、表示される文字のスクロール命令を手動で入力するための入力手段が設けられ、表示制御手段が水平スクロールをスクロール命令に応じて制御する受信機が開示されている。
【特許文献１】特開２００４−１２９２１４号公報
【発明の開示】
【発明が解決しようとする課題】
【０００４】
しかしながら、上記の字幕の機能や特許文献１では、その時々に応じてユーザが自由に映像及び／又は音声と文字とを組み合わせることはできない。つまり、映像ファイル、画像ファイル、音声ファイルなどのマルチメディアファイルの再生中に、任意のテキストファイルを実行し、表示されたテキストデータをマルチメディアファイルとは同期させずにユーザの意志で操作することはできなかった。
【０００５】
例えば、ＤＶＤでアーティストのプロモーションビデオを視聴しているときに、曲の歌詞を見たい場合、字幕機能により歌詞が組み込まれている場合は曲とともに表示できるが、ユーザが操作して望む箇所を表示させたり、他の曲の歌詞を表示させたりすることはできなかった。
【０００６】
本発明は、マルチメディアファイルの再生中に任意のテキストデータを表示できる利便性のよい記録媒体再生装置を提供することを目的とする。
【課題を解決するための手段】
【０００７】
上記目的を達成するために本発明は、記録媒体に記録されたマルチメディアファイル及びテキストファイルを実行する制御を行う制御部を備えた記録媒体再生装置において、
前記制御部は、前記マルチメディアファイルと前記テキストファイルとを同期をとることなく並行して実行させることを特徴とする。
【０００８】
上記の記録媒体再生装置において、前記テキストファイルが実行されて表示されるテキストデータは、所定量ずつ表示され、操作により順次送られるようにすることが望ましい。
【０００９】
また上記の記録媒体再生装置において、前記テキストファイルが実行されて表示されるテキストデータは、所定量ずつ表示され、予め定められた所定時間毎に順次送られるようにしてもよい。
【００１０】
また上記の記録媒体再生装置において、実行する前記マルチメディアファイルと前記テキストファイルとは、操作によりそれぞれ選択された任意のファイルであることが望ましい。
【００１１】
また上記の記録媒体再生装置において、マルチメディアファイルを実行する場合、該マルチメディアファイルと同じファイル名のテキストファイルを並行して実行するようにしてもよい。
【００１２】
また上記の記録媒体再生装置において、前記マルチメディアファイルと前記テキストファイルとは同じ記録媒体に記録されていることが望ましい。
【００１３】
本発明を具体化すると、ＨＤＤ記録再生部と、ＤＶＤ記録再生部と、アンテナで受信したテレビ放送信号を復調、デジタル化するチューナと、該チューナから受け取った画像音声データを圧縮符号化したり、前記ＨＤＤ記録再生部又は前記ＤＶＤ記録再生部で再生された圧縮された画像音声データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、メモリと、各部を制御する制御部とを備えた記録媒体再生装置において、
同じ記録媒体に記録されているファイルであって、操作によりそれぞれ選択された任意のマルチメディアファイルとテキストファイルとを同期をとることなく並行して実行し、
前記テキストファイルが実行されて表示されるテキストデータは、所定量ずつ表示され、操作により順次送られ、又は予め定められた所定時間毎に順次送られる構成とする。
【発明の効果】
【００１４】
本発明によれば、マルチメディアファイルの再生中に任意の文字列（テキストデータ）を表示できるので、利便性のよい記録媒体再生装置が得られる。
【発明を実施するための最良の形態】
【００１５】
以下、映像音声記録再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００１６】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像音声データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１７】
また、制御部２６は、記録媒体（ＨＤＤ又はＤＶＤ）に記録されたマルチメディアファイルとテキストファイルとを同期をとることなく並行して実行させる制御も行う。なお、マルチメディアファイルとは、映像ファイル、画像ファイル、音声ファイルの総称であり、テキストファイルとは、文字列からなるテキストデータのファイルである。以下、このマルチメディアファイルとテキストファイルとを同期をとることなく並行して実行させる制御について説明する。
【００１８】
図２は、マルチメディアファイルの再生動作を示すフローチャートである。ここではＤＶＤの再生動作について説明する。まず、ステップＳ１０において、ユーザによりリモコン１３が操作されてＤＶＤのマルチメディアファイルのリストが要求されると、ステップＳ１１へ進んでＤＶＤに記憶されているマルチメディアファイルのリストを表示装置１１に表示させる。そして、ステップＳ１２においてユーザによりリモコン１３が操作されて所望のマルチメディアファイルの再生が指示されると、ステップＳ１３へ進んでそのマルチメディアファイルの再生を開始する。
【００１９】
図３は、テキストファイルの実行動作を示すフローチャートである。図２のようにしてマルチメディアファイルが再生されている状態において、又は図２の動作が実行される前の状態において、図３の処理を実行することができる。ここでは、マルチメディアファイルが再生されている状態において図３の処理を実行する場合について説明する。
【００２０】
ステップＳ２０において、ユーザによりリモコン１３が操作されてＤＶＤのテキストファイルのリストが要求されると、ステップＳ２１へ進んでＤＶＤに記憶されているテキストファイルのリストを表示装置１１に表示させる。この間もマルチメディアファイルの再生は継続する。そして、テキストファイルのリストは再生されているマルチメディアファイルの視聴を妨げないように、画面の端に寄せて表示することが好ましい。
【００２１】
そして、ステップＳ２２においてユーザによりリモコン１３が操作されて所望のテキストファイルの実行が指示されると、ステップＳ２３へ進んでそのテキストファイルを再生中のマルチメディアファイルと同期をとることなく並行して実行し、表示装置１１に文字列（テキストデータ）を表示させる。ここで文字列は予め設定された所定量（例えば、２行や２０文字）だけ表示される。図４は、映像又は画像と文字列とを表示させた画面４０の一例を示す図である。画面４０には通常の映像又は画像の表示に重畳させて下部に文字列が表示されている。所謂、映画の字幕のような表示形式である。また、図５は、曲のタイトルと歌詞とを表示させた画面５０の一例を示す図である。画面５０には上部に再生中の曲のタイトルが表示され、その他の部分には歌詞が表示されている。
【００２２】
次にステップＳ２４へ進んでユーザによりリモコン１３が操作されて文字列を送る指示があったか否かを判別する。文字列を送る指示は、次へ進む指示又は前に戻る指示がある。
【００２３】
ステップＳ２４において文字列を送る指示があった場合は、ステップＳ２５へ進んで所定量だけ文字列を送り、表示させる。ここで送る文字列は、画面に表示されている一部分ずつ（例えば１行ずつ）送るようにしてもよいし、画面単位で送るようにしてもよい。
【００２４】
一方、ステップＳ２４において文字列を送る指示がない場合は、ステップＳ２６へ進んで現在の文字列が表示されてから所定時間経過したか否かを判別する。ここで所定時間とは、予め製造時やユーザによって設定された時間であり、例えば３０秒とすることができる。そして、ステップＳ２６において所定時間経過した場合は、ステップＳ２５へ進んで強制的に文字列を送り、表示させる。一方、ステップＳ２６において所定時間経過していない場合は、ステップＳ２４に戻る。ステップＳ２５からはステップＳ２４に戻る。
【００２５】
なお、ステップＳ２６は必ずしも必要ではなく、ステップＳ２４で文字列を送る指示があるまで文字列は送らないようにしてもよい。ステップＳ２６を採用するか否かはユーザ設定により変更できるようにすることが好ましい。
【００２６】
上記の構成によれば、マルチメディアファイルの再生中に任意の文字列（テキストデータ）を表示できるので、利便性のよい記録媒体再生装置が得られる。
【００２７】
図６は、ＨＤＤ一体型光ディスク装置１０の他の実施形態の動作を示すフローチャートである。まず、図２と同様にステップＳ１０からステップＳ１２まで進み、次にステップＳ３０において、ステップＳ１２で選択されたマルチメディアファイルと同じファイル名のテキストファイルを検索する。
【００２８】
そして、ステップＳ３１へ進んで選択されたマルチメディアファイルと検索したテキストファイルとを同期を取ることなく並行して実行する。続いて図３と同様にステップＳ２４からステップＳ２６の処理を行う。
【００２９】
なお、同じファイル名のテキストファイルを実行するか否かは、予めユーザ設定によりその機能のオン／オフの設定をできる構成にしておけば使い勝手がよい。
【００３０】
上記の構成によれば、ユーザは所望のマルチメディアファイルの再生を指示するだけでそのファイルに関係するテキストファイルの文字列が自動的に表示されるので、より利便性のよい記録媒体再生装置が得られる。例えば、小説や手紙として利用する場合、マルチメディアファイルの画像や映像が表示されながら、それに対応した内容のテキストファイルの文字列が表示される。そしてユーザは表示された文字列を読み終えてから次の文字列に送る操作をすれば自分のペースで読み進めることができる。
【００３１】
上記の２つの実施形態においては、マルチメディアファイルとテキストファイルとは同じ記録媒体に記録されていることを前提として説明したが、ＨＤＤ一体型光ディスク装置１０のように、記録媒体を複数備えた装置の場合は、マルチメディアファイルとテキストファイルは異なる記録媒体（ＤＶＤとＨＤＤ）にそれぞれ記録されていても構わない。
【００３２】
また、マルチメディアファイルの再生は、映像ファイル又は画像ファイルの再生に並行して任意の音声ファイルの再生を可能にしてもよい。この場合も更に任意のテキストファイルは実行可能とする。そうすれば、好みの映像と好みの音楽と好みの文字列とを同時に出力させ、それぞれ別々に操作することができる。
【００３３】
また、上記の実施形態では文字列を表示装置１１に表示させる構成としたが、文字列はＨＤＤ一体型光ディスク装置１０の前面などに設けた表示部に表示させてもよい。
【産業上の利用可能性】
【００３４】
本発明は、ＤＶＤやＨＤＤなどの記録媒体再生装置に利用することができ、また、複数の記録再生部を１つの筐体に組み込んだ複合機、例えばＨＤＤ一体型光ディスク装置等にも利用することができる。
【図面の簡単な説明】
【００３５】
【図１】本発明のＨＤＤ一体型光ディスク装置の構成及びその周辺機器を示すブロック図である。
【図２】本発明のＨＤＤ一体型光ディスク装置のマルチメディアファイルの再生動作を示すフローチャートである。
【図３】本発明のＨＤＤ一体型光ディスク装置のテキストファイルの実行動作を示すフローチャートである。
【図４】本発明のＨＤＤ一体型光ディスク装置において映像又は画像と文字列とを表示させた画面の一例を示す図である。
【図５】本発明のＨＤＤ一体型光ディスク装置において曲のタイトルと歌詞とを表示させた画面の一例を示す図である。
【図６】本発明のＨＤＤ一体型光ディスク装置の他の実施形態の動作を示すフローチャートである。
【符号の説明】
【００３６】
１０    ＨＤＤ一体型光ディスク装置（記録媒体再生装置）
１１    表示装置
１６    チューナ
１７    画像音声圧縮伸長部
１８    ＨＤＤ記録再生部
１９    ＤＶＤ記録再生部
２０    ＯＳＤ部
２１    画像出力部
２２    音声出力部
２３    メモリ
２６    制御部
【図１】
2008109420.tif 000003
【図２】
2008109420.tif 000004
【図３】
2008109420.tif 000005
【図４】
2008109420.tif 000006
【図５】
2008109420.tif 000007
【図６】
2008109420.tif 000008